(57)【要約】【課題】本発明は、主引出しを本体から引き出したときに、内引出しのスライド操作が簡単となる位置まで内引出しを同時に引き出せるキャビネットを提案することを目的とする。【解決手段】キャビネット本体２の収納庫２０内に、主引出し３の上側に内引出し４が収容される。そして、主引出し３には、その背板３２の上端より上方に向かって第２突状体３５が突設され、内引出し４には、その底板４４より下方に向かって第１突状体４５が突設される。これにより、主引出し３を収納庫２０から引き出したとき、第２突状体３５が第１突状体４５を押動するため、内引出し４も引き出される。【選択図】図１
2010011942.tif 000002
【特許請求の範囲】
【請求項１】
前方に開口する収納庫と、該収納庫の前方開口を閉塞する前板を有するとともに該収納庫に対して前後方向へスライド自在に配置された主引出しと、前記収納庫内にて前記主引出しよりも上位に配置された前後方向へスライド自在な内引出しと、を備えたキャビネットにおいて、
前記主引出しを全開となる位置まで引き出すスライド動作の途中で前記内引出しを部分的に前方へ押し出す押出手段を更に備え、
前記主引出しが全開となる位置まで前方に引き出されたとき、前記押出手段により前記内引出しが部分的に前方へ押し出されて該内引出しの一部が前記収納庫の開口前端より前方に露出するとともに、前記主引出しの前板と前記内引出しの前端との間に前記主引出し内の収納空間を上方開放する空隙が形成されることを特徴とするキャビネット。
【請求項２】
請求項１において、
前記内引出しの前方スライド位置を規制する規制手段を更に備え、
前記内引出しを前記主引出しとの相対的な前後方向の位置関係において最も前方に引き出したとき、前記規制手段が前記内引出しの前方へのスライドを規制して、前記主引出しの前板と前記内引出しの前端との間に隙間を形成することを特徴とするキャビネット。
【請求項３】
請求項１又は請求項２において、
前記押出手段が、前記主引出しから立ち上がる押圧部と、該押圧部よりも前方側で且つ該押圧部の前方への移動軌道上に介在する位置で前記内引出しの底板より下方に突出した被押出部とから構成され、
前記主引出しが全開となる位置まで前方に引き出されたときには、前記被押出部が前記押圧部によって押動されて、前記内引出しが部分的に前方へ押し出され、該内引出しの一部が前記収納庫の開口前端より前方に露出することを特徴とするキャビネット。
【発明の詳細な説明】
【技術分野】
【０００１】
本発明は、主引出しの上部に設置された内引出しが主引出しと同一方向にスライドするキャビネットに関する。
【背景技術】
【０００２】
システムキッチンなどのキッチン用家具は、流し台やコンロなどともに、台所用品を収納するためのキャビネットを備える。このキャビネットは、様々な形状の台所用品を収納できるように、大型の台所用品を収納する大容量の主引出しを備えるだけでなく、小型の台所用品が収納できる内引出しが主引出しの上部に設けられる。この主引出しの上部に内引出しが設けられたキャビネットとして、本出願人は、主引出しの収納方向と同一方向にスライドする内引出しを設けた引出しキャビネットを提案している（特許文献１参照）。
【０００３】
特許文献１によるキャビネットは、主引出しの背板の上端部にスライド用の部材を設けるとともに、スライド用の部材を内引出しに設けたガイド溝に挿入することで、内引出しを主引出しの上部でスライド可能な構造とされる。又、この内引出しが主引出しに対して同一方向にスライドできるキャビネットにおいて、内引出しを主引出しに対して掛け止める掛止装置を備え、主引出しと同時に内引出しをも引き出せるものが提案されている（特許文献２参照）。
【特許文献１】特開２００１−２７５７６８号公報
【特許文献２】特開２００３−１６４３４３号公報
【発明の開示】
【発明が解決しようとする課題】
【０００４】
特許文献２によるキャビネットは、主引出しに対して内引出しの掛止と離脱を掛止装置により選択することができる。そのため、主引出しをキャビネット本体における収納庫から引き出す際に、掛止装置を操作することにより、内引出しも同時に引き出すか否かを選択できる。しかしながら、掛止装置が主引出しの前板に設けられているため、主引出しが収納庫に収まっているとき、内引出しの前板を主引出しの前板に接触させる必要がある。
【０００５】
このような構造を備えた特許文献２のキャビネットは、主引出しの収納空間が、内引出しによって、その高さ方向に分割される。そのため、内引出しを備えた主引出しに収容する際、引出しの高さ方向に対して制限される。よって、まな板や包丁のように、立設させて収納することが好ましい台所用品を収納するためには、これらの台所用品の長さに合わせて、主引出しと内引出しの高さを設計する必要がある。
【０００６】
一方、主引出しにおける内引出しの下側となる収納空間の高さに比べて、その長さが長くなる台所用品については、特許文献２のキャビネットによる構造では、主引出し内で立設させた収納が不可能となる。よって、特許文献２のキャビネットのように、内引出しにより上下に主引出しの収納空間が分離される場合、立設させた収納が好ましい台所用品の収納に適していない。
【０００７】
又、主引出しに比べてその奥行きが短い内引出しが設けられた場合、主引出しが収納庫に収容されたとき、内引出しが収納庫の奥側に収容される構造とされることが多い。このような構造を備えたキャビネットは、主引出しに内引出しを掛け止めするための特許文献２のような構造は適用できない。よって、主引出しを収納庫から引き出したときに、内引出しが収納庫の奥に収容されたままとなるため、内引出しを引き出す場合、使用者は収納庫の奥に手を入れる必要があり、使い勝手がよくない。
【０００８】
このような問題に鑑みて、本発明は、主引出しを本体から引き出したときに、内引出しのスライド操作が簡単となる位置まで内引出しを同時に引き出せるキャビネットを提案することを目的とする。
【課題を解決するための手段】
【０００９】
上記目的を達成するために、本発明のキャビネットは、前方に開口する収納庫と、該収納庫の前方開口を閉塞する前板を有するとともに該収納庫に対して前後方向へスライド自在に配置された主引出しと、前記収納庫内にて前記主引出しよりも上位に配置された前後方向へスライド自在な内引出しと、を備えたキャビネットにおいて、前記主引出しを全開となる位置まで引き出すスライド動作の途中で前記内引出しを部分的に前方へ押し出す押出手段を更に備え、前記主引出しが全開となる位置まで前方に引き出されたとき、前記押出手段により前記内引出しが部分的に前方へ押し出されて該内引出しの一部が前記収納庫の開口前端より前方に露出するとともに、前記主引出しの前板と前記内引出しの前端との間に前記主引出し内の収納空間を上方開放する空隙が形成されることを特徴とする。
【００１０】
このように構成することで、前記主引出しを全開となる位置まで引き出したときに、前記収納庫の開口面位置又は該開口面位置よりも前方に、前記内引出しも同時に引き出される。換言すれば、前記主引出しを全開としたとき、手の届きやすい位置まで前記内引出しが引き出されることとなる。これにより、前記主引出しを引き出した後に、前記内引出しを引き出すか否かを選択することができる。即ち、前記主引出しに収納した台所用品については、前記主引出しを引き出すだけで前記空隙より取り出すことができる。一方、前記内引出しに収納した台所用品については、前記主引出しを引き出した後に、前記主引出しと共に途中まで引き出された前記内引出しを更に引き出すことにより、取り出すことができる。
【００１１】
このとき、前記内引出しの前方スライド位置を規制する規制手段を更に備え、前記内引出しを前記主引出しとの相対的な前後方向の位置関係において最も前方に引き出したとき、前記規制手段が前記内引出しの前方へのスライドを規制して、前記主引出しの前板と前記内引出しの前端との間に隙間を形成するものとしてもよい。
【００１２】
このように構成することで、前記規制手段によって前記内引出しのスライドが規制されてできる隙間は常に前記内引出しによって覆われることがない。よって、前記主引出しの収納空間において、この隙間による空間は、上方開放された第１空間として構成される。よって、立設して収容することが求められ、且つ、立設したときに高さを有する台所用品を、前記主引出しの収納空間に構成される当該第１空間に収容できる。
【００１３】
そして、前記押出手段が、前記主引出しから立ち上がる押圧部と、該押圧部よりも前方側で且つ該押圧部の前方への移動軌道上に介在する位置で前記内引出しの底板より下方に突出した被押出部とから構成され、前記主引出しが全開となる位置まで前方に引き出されたときには、前記被押出部が前記押圧部によって押動されて、前記内引出しが部分的に前方へ押し出され、該内引出しの一部が前記収納庫の開口前端より前方に露出するものとしてもよい。
【００１４】
又、前記規制手段は、前記押圧部よりも後方側で且つ前記押圧部の後方への移動軌道上に介在する位置で前記内引出しの底板より下方に突出した後当て部によって構成され、該後当て部に前記押圧部が当接することにより、前記主引出しに対する相対的な前記内引出しの最前方へのスライド位置が規制されるものとしてもよい。
【００１５】
このように構成することで、前記収納庫内に前記主引出しを収容する際、前記内引出しも同時に前記収納庫内に収容することができる。このとき、前記内引出しが前記主引出しの背板側に位置した状態とする。そのため、前記主引出しの前板と前記内引出しの前端との間に構成される隙間を保持した状態で、前記主引出しと前記内引出しを前記収納庫内へ収容できる。
【発明の効果】
【００１６】
本発明によると、主引出しを全開となる位置まで引き出したときに、収納庫の開口面位置又は該開口面位置よりも前方に、前記内引出しも同時に引き出される。よって、主引出しを全開としたとき、手の届きやすい位置まで内引出しが引き出されるため、内引出しを更に引き出すことが容易となるだけでなく、内引出しに対する操作を行うことなく、主引出し内に収容された台所用品を取り出すことができる。
【発明を実施するための最良の形態】
【００１７】
本発明の実施形態におけるキャビネットの構成について、図面を参照して説明する。図１は、本実施形態のキャビネットの構成を示す側面からの概略断面図である。図２は、本実施形態のキャビネットの構成を示す正面からの概略断面図である。尚、図１及び図２では、本実施形態のキャビネットの主要部となる主引出しと内引出しの周辺の構成を示す図である。又、図１及び図２に示す主要部を備えたキャビネットは、収納庫の上方と下方のそれぞれにおいて不図示の天板と台座とを備えたキッチン用キャビネットであり、後述する図５に示すシステムキッチンの一部とされる。
【００１８】
図１に示すように、本実施形態のキャビネット１は、収納庫２０を有するとともに前面が開口された筐体であるキャビネット本体２と、該キャビネット本体２の収納庫２０内に収容される主引出し３と、この主引出し３の上部（キャビネット本体２の高さ方向）に設置される内引出し４と、主引出し３及び内引出し４のそれぞれをキャビネット１に対して前後（キャビネット本体２の奥行き方向）にスライドさせるレール部材５，６と、を備える。そして、キャビネット本体２は、１枚の背板２２と２枚の測板２３（図２参照）とによってコの字型に覆われた内部空間を収納庫２０とし、背板２２に対向する前面に、収納庫２０を開口する開口面２１（図３参照）が形成される。
【００１９】
主引出し３は、キャビネット本体２の収納庫２０における開口面２１を覆う前板３１と、前板３１に対向する背面側に設けられる背板３２と、前板３１と背板３２とを接続して前板３１及び背板３２とロの字型を形成する２枚の測板３３と、前板３１と背板３２と２枚の測板３３とを接続して前板３１及び背板３２及び２枚の測板３３それぞれと垂直な面を形成する底板３４とで構成される。即ち、主引出し３は、前板３１と背板３２と底板３４と２枚の測板３３とで覆われた空間によって、その上部（天井面）が開口された収納空間３０が形成される。
【００２０】
この主引出し３は、背板３２の上端部から上部に向かって突出させた第２突状体３５（特許請求の範囲における「押圧部」に相当する）を備えるとともに、２枚の測板３３それぞれの側面上には、図２に示すように、レール部材５に挿入されるスライド部材３６を備える。そして、図１及び図２の構成例では、レール部材５を底板３４に対向する位置に設置し、スライド部材３６を、測板３３の底板３４の対応する位置で測板３３の前後方向の幅と略同一の長さで延設する。尚、このレール部材５及びスライド部材３６は、前後に主引出し３を円滑にスライドさせて、且つ、主引出し３を全開まで引き出したときにでも支持可能な構成であれば他の構成であってもよく、本実施形態の構成に制限されるものではない。
【００２１】
内引出し４についても、主引出し３と同様、前板４１と、背板４２と、２枚の測板４３と、底板４４とを備え、前板４１と背板４２と底板４４と２枚の測板４３とで覆われた空間によって、その上部が開口された収納空間４０が形成される。この内引出し４は、底板４４から下部に向かって突出させた第１突状体４５及び第３突状体４６を備えるとともに、２枚の測板４３それぞれの側面上には、図２に示すように、内引出し４を前後にスライドするために、レール部材６に挿入されるスライド部材４７を備える。尚、第１突状体４５は、後述するように、押圧部となる第２突状体３５によって押動される被押出部として機能し、第３突状体４６は、後述するように、押圧部となる第２突状体３５と当接する後当て部として機能する。即ち、第１突状体４５と第２突状体３５とによって押出手段が構成されるとともに、第３突状体４６と第２突状体３５とによって規制手段が構成される。
【００２２】
そして、内引出し４のスライド部材４７は、前板４１から背板４３よりも奥に向かって突出するように、測板４３において前後方向に延びた形状であり、レール部材６は、キャビネット本体２の測板２３の前後方向の幅と略同一の長さで延設される。即ち、スライド部材４７の長さが、測板４３の前後方向の幅（内引出し４の奥行き長さ）よりも長く、更に、レール部材６の長さが、スライド部材４７の長さよりも長い。尚、このレール部材６及びスライド部材４７は、前後に内引出し４を円滑にスライドさせて、且つ、内引出し４を全開まで引き出したときにでも支持可能な構成であれば他の構成であってもよく、本実施形態の構成に制限されるものではない。
【００２３】
このように、キャビネット１において、レール部材５，６によって前後にスライドする内引出し３及び主引出し４はそれぞれ、キャビネット本体２の同じ収納庫２０内において上下に収容される。このとき、図１に示すように、内引出し４の収納空間４０の奥行き長さＢは、主引出し３の収納空間３０の奥行き長さＡより短い。これにより、主引出し３の収納空間３０は、図１の一点鎖線で示すように、主引出し３の前板３１と内引出し４の前板４１との間の第１空間３０ａと、内引出し４の前板４１と主引出し３の背板３２との間の第２空間３０ｂとに分割される。
【００２４】
よって、主引出し３の収納空間３０における第２空間３０ｂには、主引出し３の底板３４から内引出し４の底板４４までの高さで収まる台所用品が収納される。そして、この第２空間３０ｂでは収容できない高さとなる台所用品が、第１空間３０ａに収納される。この第１空間３０ａに収納される台所用品として、例えば、まな板や包丁などのように立設して収納した方が取り出しやすいものが挙げられる。更に、内引出し４には、その収納空間４０の容量が小さいため、計量スプーンなどの小型の台所用品が収納される。
【００２５】
又、主引出し３及び内引出し４のそれぞれが、図１に示すように、キャビネット本体２の収納庫２０内に収容されているとき、主引出し３の前板３１の左右両端（幅方向の両端）における背面（奥側）は、キャビネット本体２の測板２３の前面に当接する。これにより、キャビネット本体２の収納庫２０に収容する際の主引出し３のスライド位置が規制され、主引出し３が収納庫２０の奥まで入り込むことが防止される。このとき、収納庫２０において、主引出し３の背板３２とキャビネット本体２の背板２２との間に空間が形成されるが、この空間には、キャビネット１の上部にシンクやコンロが設けられたときの水道やガス用の配管などを設置できる。
【００２６】
更に、内引出し４については、スライド部材４７における背板４２より突出した後端によって、レール部材６による収納庫２０の奥側への内引出し４のスライドを規制できる。このとき、スライド部材４７の後端が当接する部品がレール部材６に設けられることで、内引出し４の収納庫２０の奥側へのスライドが規制されるものとしてもよい。又、スライド部材４７の後端がキャビネット本体２の背板２２に当接することで、内引出し４の収納庫２０の奥側へのスライドが規制されるものとしてもよい。
【００２７】
そして、内引出し４の底板４４における背板４２より後ろ側の部分の構成については、スライド部材４７及び第３突状体４６が設置されるために、２枚の測板４３側だけ設けられた構造となる。即ち、内引出し４の底板４４における背板４２より後ろ側の部分は、その幅方向（左右方向）の中央に開口部が設けられる。これにより、内引出し４の背板４２とキャビネット本体２の背板２２の間にも、その高さ方向で、主引出し３の背板３２とキャビネット本体２の背板２２との間の上述した空間と繋がる空間が形成される。
【００２８】
このように構成されるキャビネット１は、主引出し３が第２突状体３５を備えるとともに、内引出し４が第１突状体４５を備えることで、主引出し３をキャビネット本体２の収納庫２０から引き出したとき、内引出し４も同時に引き出される。この第１突状体４５と第２突状体３５との関係に基づいて、主引出し３と内引出し４のスライド動作を、図面を参照にして以下に説明する。
【００２９】
図１に示すように、収納庫２０の奥行き方向（前後方向）に対して、第１突状体４５が内引出し４の前板４１に近い位置に設置され、第２突状体３５が主引出し３の背板３２の上端部に設置される。この奥行き方向に対する、内引出し４の前板４１と第１突状体４５との距離、及び、第１突状体４５と第２突状体３５との距離とが調整されることで、後述するように、主引出し３を収納庫２０から全開になるまで引き出したときの、内引出し４の前板４１の位置（図３参照）が決定する。
【００３０】
そして、図１及び図２に示すように、収納庫２０の高さ方向（上下方向）に対して、第１突状体４５の下端から上方に向かう部分と、第２突状体３５の上端から下方に向かう部分とが重なるように、第１突状体４５及び第２突状体３５それぞれの高さが決定される。又、図２に示すように、収納庫２０の幅方向（左右方向）に対して、その高さ方向で互いに重なる位置が一致するように、第１突状体４５及び第２突状体３５の構成される位置と大きさとが決定される。即ち、第１突状体４５は、第２突状体３５よりも前方側で且つ第２突状体３５の前方への移動軌道上に介在する位置に形成される。
【００３１】
尚、図２に示す例では、主引出し３の２枚の測板３３それぞれの設置位置近傍に、第２突状体３５が突設され、内引出し４の２枚の測板４３それぞれの設置位置近傍に、第１突状体４５が突設される。そして、第１突状体４５と第２突状体３５とが重なる位置で、第２突状体３５の幅が、第１突状体４５の幅に比べて広くなるように構成される。
【００３２】
この第１突状体４５と第２突状体３５の構成は、この図２の構成例によるものに限定されるものではなく、収納庫２０の高さ方向及び幅方向で重なるように形成されるものであればよい。よって、例えば、第１突状体４５を前板４１の幅と同じ幅としてもよいし、第２突状体３５を背板３２の幅と同じ幅としてもよい。又、第１突状体４５は、第２突状体３５よりも前方側で且つ第２突状体３５の前方への移動軌道上に介在する位置に形成されるものであれば、内引出し４の測板４３から外側（幅方向）に突出させるものとしてもよい。尚、この第１突状体４５と第２突状体３５は、内引出し４を前後に移動させるスライド部材４７とレール部材６と干渉しないように形成することが好ましい。
【００３３】
このように第１突状体４５と第２突状体３５とが構成されることにより、図１のようにして、主引出し３と内引出し４がキャビネット本体２の収納庫２０内に収容されている状態から、主引出し３の取手（不図示）が把持されて引き出されたとき、まず、主引出し３が前方（背板３２から前板３１に向かう方向）にスライドする。そして、主引出し３の第２突状体３５が内引出し４の第１突状体４５と接触すると、主引出し３を引き出す方向に、第２突状体３５が第１突状体４５を押動する。これにより、主引出し３と共に、内引出し４が前方に引き出されることとなる。
【００３４】
この主引出し３が全開とされると、図３に示すように、主引出し３の背板３２がキャビネット本体２の開口面２１の位置に位置するとともに、同じく引き出された内引出し４の前板４１が開口面２１の位置又は開口面２１よりも前方の近傍位置に位置する。この主引出し３を全開としたときの、主引出し３の背板３２と内引出し４の前板４１とキャビネット本体２の開口面２１の位置関係は、前方から、前板４１、開口面２１、背板３２の順となり、且つ、前板４１と背板３２のそれぞれは、開口面２１の近傍位置に位置する。尚、内引出し４の前板４１とキャビネット本体２の開口面の２１の位置関係について、奥行き方向に対して、前板４１と開口面２１が一致してもよい。
【００３５】
よって、図３に示すように、主引出し３を全開としたとき、主引出し３の収納部３０について、その第１空間３０ａ及び第２空間３０ｂの上方が開放された状態となる。そのため、第１空間３０ａに収納された台所用品だけでなく、第２空間３０ｂに収納された台所用品をも取り出すことができる。又、主引出し３を全開としたとき、キャビネット本体２の開口面２１の近傍位置に、内引出し４の前板４１が位置するため、収納庫２０の奥側に収納された内引出し４が、手の届く位置まで引き出される。これにより、内引出し４を更に引き出すことが使用者にとって容易となる。
【００３６】
このように主引出し３を全開としたとき、内引出し４に収納された台所用品の取り出しが所望されるときは、この図３の状態から内引出し４のみを引き出すことで、図４に示すように、内引出し４を更に前方に引き出すことができる。即ち、主引出し３の収納空間３０について、第１空間３０ａのみが、その上方が開放された状態となり、第２空間３０ｂの上方が内引出し４によって覆われる。この内引出し４の前方への引き出しを規制する規制手段を構成するために、第１空間３０ａと第２空間３０ｂとの境界部分に内引出し４の前板４１に当接するまでの高さを有する衝立を立設するものとしてもよいし、レール部材６とスライド４７との間で規制するための部品が設けられるものとしてもよい。
【００３７】
又、図１に示すように、第３突状体４６が、主引出し３に設けられた第２突状体３５よりも常に後方に位置するように、内引出し４の背板４２側に設置される。この第３突状体４６は、内引出し４の前後方向に異なる位置に突設される以外の構成については、第１突状体４５と同様となる。即ち、幅方向及び高さ方向については、第２突状体３５と接触できるように、第３突状体４６の設置位置や構成が決定される。そして、第２突状体３５に接したときに第１空間３０ａと第２空間３０ｂとの境界部分より前方に内引出し４がスライドすることを規制する位置に、突設される。即ち、第３突状体４６は、第２突状体３５よりも後方側で且つ第２突状体３５の後方への移動軌道上に介在する位置に形成される。
【００３８】
このように構成することで、図３に示すように、主引出し３をキャビネット本体２から全開まで引き出して、内引出し４の前板４１がキャビネット本体２の開口面２１近傍に位置させた後、更に、内引出し４を引き出したとき、図４に示すように、全開となる内引出し４の第３突状体４６が第２突状体３５に当接する。即ち、内引出し４を主引出し３に対して前方にスライドさせたとき、第３突状体４６の第２突状体３５への接触により、その全開位置での更なるスライドを規制できる。
【００３９】
又、図４に示す場合などのように、内引出し４を全開として、内引出し４の第３突状体４６と主引出し３の第２突状体３５とを当接させた状態で、主引出し３を後方にスライドさせとき、第２突状体３５が第３突状体４６を押動する。これにより、キャビネット本体２の収納庫２０内に主引出し３を収容させるだけでなく、第１空間３０ａが内引出し４に覆われることのない状態を維持しながら、内引出し４をも収納庫２０内に収容できる。
【００４０】
更に、図３に示すように、内引出し４が収納庫２０から引き出されていない場合、主引出し３を後方にスライドさせると、第２突状体３５は第３突状体４６との接触がないため、主引出し３のみが後方にスライドする。そして、主引出し３の第２突状体３５が内引出し４の第３突状体４６と接触すると、主引出し３を収納する方向に、第２突状体３５が第３突状体４６を押動する。これにより、主引出し３と共に、内引出し４が後方にスライドすることとなる。よって、主引出し３が、キャビネット本体２の収納庫２０に収容されると、図１に示すように、内引出し４は、第２空間３０ｂのみを覆う状態で収納庫２０内に収容される。
【００４１】
尚、上述したように、第１空間３０ａと第２空間３０ｂとの境界部分に衝立を設けた場合は、この衝立を前板４１に当接する高さまでの高さとすることで、この衝立が第３突状体４６と同じ機能を果たす。即ち、主引出し３をキャビネット本体２に収容するとき、主引出し３に設けられた衝立が内引出し４の前板４１に当接して押動することで、主引出し３と共に内引出し４もキャビネット本体２に収容される。又、この主引出し３に設けられる衝立によって、内引出し４が第１空間３０ａの上部を覆うことを常に規制できる。これにより、内引出し４について、第３突状体４６の省いた構成とすることができる。
【００４２】
又、第２突状体３５が、主引出し３の背板３２の上端から突設させるものとしたが、測板３３の上端から突設されるものとしてもよい。このとき、第２突状体３５と内引出し４の底板４４より突設された第１突状体４５及び第３突状体４６との位置関係が、幅方向及び高さ方向については互いに重なり、且つ、奥行き方向については、前方から後方に向かって、第１突状体４５、第２突状体３５、第３突状体４６の順に並ぶように、第２突状体３５が構成される。
【００４３】
更に、本実施形態のキャビネット１は、主引出し３の収納空間３０が、内引出し４によって覆われることのない第１空間３０ａを備えるものとしたが、内引出し４の奥行き長さが長く、収納空間３０が内引出し４によって全て覆われるものであってもよい。この場合、内引出し４の底板４４から突設する第１突状体４５と第３突状体４６との間隔を長くすることで、上述のキャビネット１と同様の効果を得ることができる。又、第３突状体４６を設けない場合は、主引出し３の前板３１が第３突状体４６と同様の機能を備える。即ち、主引出し３をキャビネット本体２の収納庫２０内に収容する際、主引出し３の前板３１が内引出し４の前板４１を押動することで、主引出し３と共に内引出し４が収納庫２０内に収容される。
【００４４】
又、キャビネット本体２の収納庫２０において、主引出し３の背板３２及び内引出し４の背板４２とキャビネット本体２の背板２２との間に空間が設けられるものとしたが、このような空間が設けられなくてもよい。即ち、主引出し３及び内引出し４それぞれがキャビネット本体２の収納庫２０内に完全に収容されたとき、主引出し３の背板３２及び内引出し４の背板４２がキャビネット本体２の背板２２に当接するように、キャビネット１の各部を構成してもよい。
【００４５】
このような主引出し３及び内引出し４を備えたキャビネット１は、図５に示す構成のシステムキッチンに組み込まれて使用される。図５に示すシステムキッチンは、ガスコンロやＩＨコンロなどの加熱調理部２０１を備えたレンジ台２００が引出し３００の上方を覆う天板上に設置されるキャビネット１００と、上下に引出し３０１，３０２が設置されたキャビネット１０１と、湯水混合型の水栓２０３を備えるシンク２０４を構成するシンク台２０２が引出し３０３の上方を覆う天板上に設置されるキャビネット１０２とを備える。
【００４６】
このとき、システムキッチンに組み込まれるキャビネット１００〜１０２それぞれにおいて、引出し３００〜３０３の全てが、図１及び図２に示す構成の内引出し４と連動する主引出し３であってもよい。又、引出し３００〜３０３の一部が、図１及び図２に示す構成の内引出し４と連動する主引出し３であり、残りは、内引出し４の設置がなく、主引出しのみで構成されるものであってもよい。
【図面の簡単な説明】
【００４７】
【図１】は、本発明のキャビネットの主要部の構成を示す側面からの概略断面図である。
【図２】は、本発明のキャビネットの主要部の構成を示す正面からの概略断面図である。
【図３】は、図１の構成のキャビネットにおいて主引出しのみを引き出したときの構成を示す概略断面図である。
【図４】は、図１の構成のキャビネットにおいて内引出しを更に引き出したときの構成を示す概略断面図である。
【図５】は、本発明のキャビネットを備えたシステムキッチンの構成を示す概略外観図である。
【符号の説明】
【００４８】
１                      キャビネット
２                      キャビネット本体
３                      主引出し
４                      内引出し
５，６                  レール部材
２０                    収納庫
２１                    開口面
２２                    背板
２３                    測板
３０                    収納空間
３１                    前板
３２                    背板
３３                    測板
３４                    底板
３５                    第２突状体（押圧部）
３６                    スライド部材
４０                    収納空間
４１                    前板
４２                    背板
４３                    測板
４４                    底板
４５                    第１突状体（被押出部）
４６                    第３突状体（後当て部）
４７                    スライド部材
【図１】
2010011942.tif 000003
【図２】
2010011942.tif 000004
【図３】
2010011942.tif 000005
【図４】
2010011942.tif 000006
【図５】
2010011942.tif 000007